(57)【要約】【課題】  追い釘などの設置スペースを抑制しないように小型化が可能な通過センサの取り付け構造を提供する。【解決手段】  物体の通過を検知して処理のための信号を出力する通過センサ１２を取り付けるための構造において、前記物体の通過を許容する通過部１１Ａ２と取り付け部５の表側に取り付けられる基板部１１Ａ１とを備えたカバー部材１１Ａと、カバー部材１１Ａとは別に設けられて通過センサ本体１２が一体化され、取り付け部５の裏側に取り付けられて通過センサ本体１２をカバー部材１１Ａ内に進入させるホルダ部材１１Ｂと、ホルダ部材１１Ｂの取り付け部１１Ｂ２に設けられている前記通過センサ１２の挿通部５Ａとを備えて挿通部５Ａに対する部材１１Ｂの挿入長さを短くしたことを特徴としている。【選択図】  図２
2006136426.tif 000002
【特許請求の範囲】
【請求項１】
物体の通過を検知して処理のための信号を出力する通過センサを取り付けるための構造において、
前記物体の通過を許容する通過部と取り付け部の表側に取り付けられる基板部とを備えたカバー部材と、
前記カバー部材とは別に設けられて前記通過センサ本体が一体化され、前記取り付け部の裏側に取り付けられて通過センサ本体を前記カバー部材内に進入させるホルダ部材と、
前記ホルダ部材の取り付け部に設けられている前記通過センサの挿通部とを備えたことを特徴とする通過センサの取り付け構造。
【請求項２】
請求項１記載の通過センサの取り付け構造において、
前記取り付け部におけるホルダ部材が挿通される部分には、該ホルダ部材の締結若しくは係止が可能な構成とされていることを特徴とする通過センサの取り付け構造。
【請求項３】
請求項１または２記載の通過センサの取り付け構造において、
前記ホルダ部材における前記取り付け部の挿通部に対応する箇所は、外面が挿入方向前方から後方に向かって拡形されていることを特徴とする通過センサの取り付け構造。
【請求項４】
請求項１乃至３のうちの一つに記載の通過センサの取り付け構造において、
前記ホルダ部材に一体化されている通過センサ本体は、これのみが取り付け部における挿通部内に挿入されて前記カバー部材内に進入可能であることを特徴とする通過センサの取り付け構造。
【請求項５】
請求項４記載の通過センサの取り付け構造において、
前記ホルダ部材における前記取り付け部に対向する部分は、該取り付け部の裏側表面に当接されて固定されることにより前記通過センサ本体を前記カバー部材内に進入させた位置で位置決めすることを特徴とする通過センサの取り付け構造。
【請求項６】
請求項１乃至５のうちの一つに記載の通過センサの取り付け構造を用いたことを特徴とするパチンコ遊技機。
【発明の詳細な説明】
【技術分野】
【０００１】
本発明は、通過センサの取り付け構造およびパチンコ遊技機に関し、さらに詳しくはパチンコ遊技機の盤面に対する通過センサの取り付け構造に関する。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。
【０００３】
一方、遊技領域には、複数の図柄や記号を変動表示可能な表示部が設けられており、図柄や記号が一定の組み合わせに揃った場合あるいは一定の条件を満たした場合に遊技盤面に設けてある大入賞口を開放して多くの賞球を払い出すようにした構成がある。
【０００４】
表示内容の抽選は、例えば、始動入賞口とは別に設けてあるパスゲート部と称される部材に設けられた通過センサの位置にパチンコ球が通過するのを検知されることによっても開始されるようになっている。
【０００５】
従来、パスゲート部材に設けられている通過センサの取り付けには、遊技盤面の表面側に締結されるベースカバー部材に通過センサの挿入部を設けて遊技盤面裏側から通過センサを遊技盤面の表面側に向けて挿入することにより遊技盤面の表面側に通過センサを突出させた状態でベースカバー部材内に通過センサを係止する構成がある（例えば、特許文献１）。
【０００６】
また、パスゲート部材は、入賞口近傍に設ける場合もあり、この場合には、通過したパチンコ球を大入賞口へのパチンコ球の誘導ができるように、ベースカバー部材における通過センサの下部にパチンコ球の誘導部を設けた構成もある（例えば、特許文献２）。
【特許文献１】特開２０００−６２６７２号公報（段落「０００３」欄）
【特許文献２】特開００４−２３７１２０号公報（段落「０００７」欄）
【発明の開示】
【発明が解決しようとする課題】
【０００７】
図６は、従来のパスゲート部材に通過センサを取り付ける構造の一例を示した図であり、通過センサＡは、遊技盤Ｂに形成された取り付け孔Ｂ１内に挿入されるセンサホルダＣを締結することにより遊技盤Ｂに取り付けられるようになっている。
【０００８】
センサホルダＣは、遊技盤Ｂの表面に当接する基板Ｃ１を備え、基板Ｃ１にはパチンコ球の通過部Ｃ２が突出させて形成されている。
【０００９】
センサホルダＣにおける通過部Ｃ２の内部には通過センサＡのセンサ部が挿入されており、通過センサＡにおいて遊技盤Ｂの裏側に位置する後端部がセンサホルダＣに設けられている係止爪Ｃ３により抜け止めされて保持されている。
【００１０】
通過センサＡは、センサホルダＣにおける通過部Ｃ２および遊技盤裏側に突出する係止爪Ｃ３の基部Ｃ３Ａの内面に形成されているスリット内に挿入されてパチンコ球の落下方向と直角な姿勢を保たれている。
【００１１】
ところで、図６に示したような取り付け構造においては、通過センサＡがセンサホルダＣに形成されているスリットに入り込むことにより、挿入方向と直角な方向の両端および厚さ方向両端がそれぞれ挟持されているため、通過センサＡよりも厚さ（図６において符号Ｈで示す）および挿入方向と直角な方向の幅（図６において符号Ｌで示す）において大きくなっている。
【００１２】
一方、通過センサが組み込まれたセンサホルダＣは、遊技盤面に形成されている取り付け孔に挿入され、遊技盤面の裏側においてハーネスなどの接続が行われる。このとき、センサホルダＣは、通過部Ｃ２から係止爪Ｃ３の位置まで含めるとかなりの長尺部材であるため、遊具盤面に形成されている取り付け孔に対して簡単に挿入することができない場合がある。
【００１３】
つまり、センサホルダを挿入する作業時には人手による挿入によるため、ふらついたりしても容易に挿入するにはセンサホルダでの外形寸法に対してある程度の余裕分、いわゆる、公差を大きく採る必要がある。このため、取り付け孔に関して、本来、センサホルダの外形寸法に見合うサイズであるべきところを大きくすることによって、遊技盤面表側で取り付け孔を覆うことができる基板Ｃ１のサイズも大きくすることになる。
【００１４】
しかし、近年、遊技盤面では表示部の占めるスペースが大きくなる傾向にあるため、図１において符号Ｓで示す領域も小さくなる傾向にある。
【００１５】
従って、センサホルダＣの基板Ｃ１のサイズが大きくなると、センサホルダＣの設置位置に対してその上方に配置されるべき追い釘の設置スペースが干渉してしまう関係となる場合がある。このため、追い釘の設置スペースを考慮してパスゲート部材の小型化が要望されてきている。
【００１６】
本発明の目的は、上記従来の通過センサ、特に通過センサの取り付け構造における問題に鑑み、追い釘などの設置スペースを抑制しないように小型化が可能な通過センサの取り付け構造およびこれを用いるパチンコ遊技機を提供することにある。
【課題を解決するための手段】
【００１７】
請求項１記載の発明は、物体の通過を検知して処理のための信号を出力する通過センサを取り付けるための構造において、前記物体の通過を許容する通過部と取り付け部の表側に取り付けられる基板部とを備えたカバー部材と、前記カバー部材とは別に設けられて前記通過センサ本体が一体化され、前記取り付け部の裏側に取り付けられて通過センサ本体を前記カバー部材内に進入させるホルダ部材と、前記ホルダ部材の取り付け部に設けられている前記通過センサの挿通部とを備えたことを特徴としている。
【００１８】
請求項２記載の発明は、請求項１記載の通過センサの取り付け構造において、前記取り付け部におけるホルダ部材が挿通される部分には、該ホルダ部材の締結若しくは係止が可能な構成とされていることを特徴としている。
【００１９】
請求項３記載の発明は、請求項１または２記載の通過センサの取り付け構造において、前記ホルダ部材における前記取り付け部の挿通部に対応する箇所は、外面が挿入方向前方から後方に向かって拡形されていることを特徴としている。
【００２０】
請求項４記載の発明は、請求項１乃至３のうちの一つに記載の通過センサの取り付け構造において、前記ホルダ部材に一体化されている通過センサ本体は、これのみが取り付け部における挿通部内に挿入されて前記カバー部材内に進入可能であることを特徴としている。
【００２１】
請求項５記載の発明は、請求項４記載の通過センサの取り付け構造において、前記ホルダ部材における前記取り付け部に対向する部分は、該取り付け部の裏側表面に当接されて固定されることにより前記通過センサ本体を前記カバー部材内に進入させた位置で位置決めすることを特徴としている。
【００２２】
請求項６記載の発明は、請求項１乃至５のうちの一つに記載の通過センサの取り付け構造をパチンコ遊技機に用いたことを特徴としている。
【発明の効果】
【００２３】
請求項１記載の発明によれば、取り付け部に対して通過センサ本体が進入するカバー部材とホルダ部材とを設けることにより、取り付け部に挿通される部分の長さを短くすることができる。これにより、取り付け部に挿通される部分の長さを短くして挿入時でのふらつきなどをなくすことができる。この結果、ふらつき分を見込んだ挿通部での形状寸法の大型化を抑制できることにより、挿通部を覆うために取り付け部表側に位置するカバー部材を小型化することが可能となる。
【００２４】
請求項２記載の発明によれば、ホルダ部材の挿通部にホルダ部材の締結若しくは係止が可能な構成であるので、カバー部材に関係なく取り付け部の裏側で独自に取り付けることができる。これにより、カバー部材あるいはホルダ部材の組み立て順序を規定する必要がなく、組み立て作業性を向上させることが可能となる。
【００２５】
請求項３記載の発明によれば、ホルダ部材における取り付け部の挿通部に対応する箇所が挿入方向前方から後方に向かって拡形されているので、取り付け部表側に位置する挿通部のサイズを裏側に位置する挿通部のサイズよりも小さくすることができる。これにより、取り付け部表側に取り付けられるカバー部材を小型化することが可能となる。
【００２６】
請求項４記載の発明によれば、ホルダ部材に一体化されている通過センサのみが取り付け部の挿通部内に挿入されるので、ホルダ部材を挿通する場合に比べて更に取り付け部の挿通部の大きさを小さくできる。これにより、カバー部材をより小型化することが可能となる。
【００２７】
請求項５記載の発明によれば、ホルダ部材における取り付け部裏側に対向する部分が該裏側に当接して固定されることにより通過センサ本体をカバー部材内に進入させた位置に位置決めできるので、カバー部材内での通過センサの位置決め構造を必要としないで済む、これにより、取り付け部での挿通部の小型化に加えて特別な位置決め構造を要しないので、部品コストの低減が可能となる。
【００２８】
請求項６記載の発明によれば、カバー部材の小型化ができることにより遊技盤面での表示部下方に占めるパスゲート部材の設置スペースを小さくして追い釘などとの干渉を防止することが可能となり、追い釘の設置が容易となる。
【発明を実施するための最良の形態】
【００２９】
以下、図面に示す実施例により本発明を実施するための最良の形態について説明する。
【実施例】
【００３０】
図１は、本発明実施例による通過センサの取り付け構造が適用されるパチンコ遊技機の帳面図であり、同図においてパチンコ遊技機１００は、外郭方形枠サイズに形成されて縦長の固定保持枠１を構成する外枠１の開口前面に、外枠１に合わせて方形枠サイズに形成された開閉搭載用の前枠２を備えている。
【００３１】
前枠２は、外枠２の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
【００３２】
前枠２の上部領域には、遊技盤５が配置されており、遊技盤５は、所定板圧の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００３３】
遊技領域６には、略中央部に画像表示装置の表示部６ａが配置され、表示部６ａの周りにはセンター飾り６ｂや始動入賞口６ｃおよび大入賞口６ｄなどがそれぞれ配置されている。遊技領域下部にはアウト球を回収するアウト口も設けられており、始動入賞口や大入賞口に入賞せずに落下したアウト球を遊技盤５の背面側から機外に排出できるようになっている。
【００３４】
遊技領域６には、上述した始動入賞口６ｃの近傍に、本実施例の特徴部である取り付け構造により設けられているパスゲート部材１１が配置されており、この構成に関しては後で詳細を説明する。、
また、前枠２の前面上部側には、遊技盤５を視認できるように透明なガラス盤を備えた前扉７が水平方向に開閉可能かつ着脱可能に設けられ、通常は、施錠装置４により閉鎖状態に保持されて遊技盤５の前面を覆っている。
【００３５】
前枠２の前面下部側でガラス扉７の下方には、球受け皿を構成している一体皿８が、前枠２に開閉支持されている背面板（図示されず）に取り付けられて設けてあり、一体皿８は、図示しない施錠装置により通常、閉鎖状態に保持されている。
【００３６】
一体皿８には、パチンコ球が存在する皿部だけではなく、皿部の正面右側下部に発射ハンドル９が、そして、正面左側下部に灰皿１０等が設けられている。
【００３７】
図２は、パスゲート部材１１の構成を示す図であり、同図においてパスゲート部材１１は、遊技盤５の表側に固定されるカバー部材１１Ａと、遊技盤５の裏側に固定されるホルダ部材１１Ｂと、パチンコ球の通過部１２Ａを有する通過センサ１２とを備え、カバー部材１１Ａとホルダ部材１１Ｂとで遊技盤５に対する通過センサ１２の取り付けが行えるようになっている。
【００３８】
図２において、カバー部材１１Ａには、遊技盤５の表面側に締結可能な基板部１１Ａ１とこの基板部１１Ａ１から前方に張り出してパチンコ球の通過を可能にする貫通部からなる通過部１１Ａ２とを備えている。
【００３９】
基板部１１Ａ１には、通過センサ１２が内方に進入できるようにスリット１１Ａ３が形成されている。
【００４０】
ホルダ部１１Ｂは、遊技盤５の裏側に固定される基板部１１Ｂ１と、通過センサ１２を内部に一体化する通過センサ固定部１１Ｂ２とを備えており、基板部１１Ｂ１が遊技盤５の裏側表面に締結されることにより遊技盤５に固定される。
【００４１】
通過センサ固定部１１Ｂ２には、図２（Ｂ）に示すように、通過センサ１２の挿通路１１Ｂ３中において弾性変形可能な凸部１１Ｂ２Ａが設けられ、この凸部１２Ｂ２Ａを通過センサ１２の対応する位置に設けられている凹部１２Ｂ内に嵌合させることにより通過センサ固定部１１Ｂ１の内部に装填された通過センサ１２の抜け止めを行うようになっている。
【００４２】
通過センサ固定部１１Ｂ２における通過センサ１２の装填位置、特に、通過センサ固定部１１Ｂ２内で通過センサ１２が挿入される方向（図２（Ｂ）中、矢印で示す方向）の前方側端部位置は、図２（Ｃ）において符号１１Ｂ２Ｂで示すように、通過センサ固定部１１Ｂ２の内部に形成されている段部により位置決めされて不用意に通過センサ固定部１１Ｂ２の先端から奥まった位置に入り込まないようにされている。
【００４３】
通過センサ固定部１１Ｂ２は、後述する遊技盤５側の挿通部５Ａ内に挿入される箇所であり、その挿入方向の長さ、つまり基板部１１Ｂ１からの突出長さは先端が遊技盤５の表側表面の位置に一致できる長さとされている。  
なお、遊技盤５との固定手段としては、上述した基板部１１Ｂ２の締結に限らず、遊技盤５の挿通部５Ａ側にラッチ機構を設けてこれに係合させて挿通部５Ａからはみ出さない状態に維持できる構成とすることも可能である。
【００４４】
ず）を設けてこれに係合することで挿通位置を規定されるようにしてもよい。
【００４５】
図２において遊技盤５には、ホルダ部材１１Ｂにおける通過センサ固定部１１Ｂ１が挿入される寸法で形成された挿通部５Ａが設けられている。
【００４６】
挿通部５Ａは、ホルダ部材１１Ｂにおける通過センサ固定部１１Ｂ１の挿入方向の長さがカバー部材１１Ａを含まない分、短くなっているので、挿入の際のふらつきがないことを理由に通過センサ固定部１１Ｂ１の外形寸法に対して嵌め代のみを設定されたサイズを用いてドリルにより加工された孔が用いられている。
【００４７】
本実施例は以上のような構成であるから、遊技盤５に対してパスゲート部材１１を組み込む際には、ホルダ部材１１Ｂに対して予め通過センサ１２が装填される。
【００４８】
ホルダ部材１１Ｂに装填された通過センサ１２は、図２（Ｂ）、（Ｃ）において示した凹部１２Ｂと凸部１１Ｂ２との係合および段部１１Ｂ２Ｂにより抜止めとセンサ先端の位置決めが行われる。
【００４９】
ホルダ部材１１Ｂは、遊技盤５に形成されている挿通部５Ａ内に挿入されて締結されることにより遊技盤５に固定され、通過センサ１２は、遊技盤５の表側表面からカバー部材１１Ａの通過部１１Ａ１内に進入できる状態とされる。
【００５０】
ホルダ部材１１Ｂを遊技盤５の裏側に当接させることにより、基板部１１Ｂ１からの突出長さが規定されている通過センサ固定部１１Ｂ２の先端部の位置が挿通部５Ａからはみ出すことなく位置決めされる。
【００５１】
この状態においてカバー部材１１Ａの基板部１１Ａ１が遊技盤５に締結されることにより通過センサ１２がカバー部材１１Ａの通過部１１Ａ１内に進入すると通過部同士が位置合わせされた状態となり通過センサ１２の取り付けが完了する。
【００５２】
本実施例では、遊技盤５の厚さ方向に沿って挿入される部材が通過センサ１２を一体化したホルダ部材１１Ｂだけであって、カバー部材１１Ａを含まないので遊技盤５の厚さ方向に沿って挿入される長さが短い。これにより、挿入時でのふらつきがなく、容易に挿入することができる。従って、挿入時のふらつきを考慮しなくてよいことが理由となって、挿通部５Ａの形成寸法を余分な大きさ、つまり、嵌め代以外に加えられる余裕分を設定する必要がなくなる。
【００５３】
本発明者は、本実施例と従来構造、特に、遊技盤５に形成される挿通部の違いによるカバー部材１１Ａの外形寸法を比較したところ、図３に示す結果を得た。
【００５４】
図３において、（Ａ）は本実施例によるカバー部材１１Ａおよび挿通部５Ａの寸法を示しており、（Ｂ）は従来構造での各部の寸法を示している。
【００５５】
図３からも明らかなように、挿通部（図３（Ａ）、（Ｂ）において符号５Ａ、５Ａ’で示す部分）の寸法がＬ１＜Ｌ１’、これによるカバー部材（図３（Ａ）、（Ｂ）において符号１１Ａ、１１Ａ’で示す部材）の寸法がＬ２＜Ｌ２’となり、おおむね８〜１０ｍｍ程度の差が得られた。従って、本実施例においては、カバー部材１１Ａの寸法が小さくできることにより、この上方に配置される追い釘Ｐとの干渉も抑制されることになり、追い釘Ｐの配置位置が制約されるようなことをなくせることがわかった。なお、図３（Ｂ）において追い釘Ｐがカバー部材１１Ａの一部と重ねて表示してあるのは、互いに干渉することを意味している。
【００５６】
次に、本実施例に一部変形例について説明する。
【００５７】
図４は、図２（Ｃ）に示した断面図相当の図面であり、同図において、ホルダ部材（便宜上、符号１１Ｂ’で示す）は、通過センサ固定部１１Ｂ２’が、遊技盤５に挿入される方向の前方側から後方側に向かって拡形されている。
【００５８】
これにより、ホルダ部材１１Ｂ’は、通過センサ固定部１１Ｂ２’における遊技盤５の表側の端部が裏側の端部よりも小さくなっているので、遊技盤５の挿通部において表側の開口を裏側の開口よりも小さくすることができる。この結果、挿通部５Ａの開口を覆うカバー部材１１Ａの形状サイズを、図２に示した構成の場合よりも更に小さくすることができる。
【００５９】
次に他の実施例について説明する。
【００６０】
本実施例の特徴は、遊技盤５に形成される挿通部５Ａのサイズをホルダ部材（便宜上、符号１１０Ｂで示す）に設けられている通過センサ１２のサイズに対応させた点にある。
【００６１】
図５は、この場合を示しており、同図において、ホルダ部材１１０Ｂは、基板部１１０Ｂ１の後方に通過センサ固定部１１０Ｂ２を備えている。
【００６２】
従って、通過センサ１２は、通過センサ固定部１１０Ｂ２内で固定保持され、基板部１１０Ｂ１から突出する長さは、遊技盤５の厚さとカバー部材１１Ａの通過部１１Ａ２内に進入できる長さとされている。
【００６３】
本実施例は以上のような構成であるから、ホルダ部材１１０Ｂに予め通過センサ１２が一体化されたうえで、ホルダ部材１１０Ｂが遊技盤５の裏側に取り付けられる。
【００６４】
ホルダ部材１１０Ｂは、基板部１１０Ｂ１が遊技盤５の裏側面に締結されることにより、通過センサ１２をその通過部１２Ａが遊技盤５の表側に突出してカバー部材１１Ａの通過部１１Ａ２内に進入できる位置に位置決めすることになる。
【００６５】
本実施例によれば、遊技盤５に形成される挿通部５Ａが通過センサ１２のサイズに対応させるだけであるので、図２，４に示した場合と違って、遊技盤５の内部に挿通される部分の外形部を省くことができ、遊技盤５に形成される挿通部（便宜上、図５において符号５Ａ’で示す）のサイズをより小さくすることができる。これにより、カバー部材１１Ａの占有スペースを更に小さくして追い釘の設置スペースを確保することが可能となる。
【図面の簡単な説明】
【００６６】
【図１】本発明実施例による通過センサの取り付け構造が適用されるパチンコ遊技機の一例を示す正面図である。
【図２】本発明実施例による通過センサの取り付け構造を説明するための要部を示す斜視図である。
【図３】本発明実施例による通過センサの取り付け構造と従来構造とにおけるカバー部材にサイズに関する対比結果を説明するための図である。
【図４】図２に示した実施例構造における一部変形例を示す図である。
【図５】本発明の他の実施例による通過センサの取り付け構造を説明するための要部を示す斜視図である。
【図６】通過センサの取り付け構造に関する従来例を説明するための斜視図である。
【符号の説明】
【００６７】
５          遊技盤
１１        パスゲート部材
１１Ａ      カバー部材
１１Ａ２    挿通部
１１Ｂ      ホルダ部材
１１Ｂ２    通過センサ固定部
１００      パチンコ遊技機
【図１】
2006136426.tif 000003
【図２】
2006136426.tif 000004
【図３】
2006136426.tif 000005
【図４】
2006136426.tif 000006
【図５】
2006136426.tif 000007
【図６】
2006136426.tif 000008